(57)【要約】      （修正有）【課題】一つのセンサーを用いるだけで人の出入りを感知することができる方向判別センサーを提供する。【解決手段】少なくとも一つのセンサー１と、少なくとも一つの分離板２とによって構成する。前記センサーの内部には、少なくとも一つの正極感知ユニット１１と、少なくとも一つの負極感知ユニット１２が設けられ、前記正極感知ユニットは、正極感知信号を発生し、前記負極感知ユニットは負極感知信号を発生する。前記分離板は、前記正極感知ユニットと前記負極感知ユニットを分離して前記正極感知信号と前記負極感知信号に時間差を生じさせて方向を判別するために、前記センサーの正極感知ユニットと負極感知ユニットの間に設けられる。【選択図】図２
0003169811.tif 000002
【実用新案登録請求の範囲】
【請求項１】
少なくとも一つのセンサーと、少なくとも一つの分離板とによって構成する方向判別センサーであって、
前記センサーの内部には、少なくとも一つの正極感知ユニットと、少なくとも一つの負極感知ユニットが設けられ、前記正極感知ユニットは、正極感知信号を発生し、前記負極感知ユニットは負極感知信号を発生し、
前記分離板は、前記正極感知ユニットと前記負極感知ユニットを分離して前記正極感知信号と前記負極感知信号に時間差を生じさせて方向を判別するために、前記センサーの正極感知ユニットと負極感知ユニットの間に設けられるとともに、前記センサーの外まで延伸することを特徴とする、方向判別センサー。
【請求項２】
前記方向判別センサーは集束レンズを備え、前記集束レンズは前記センサーの外周に設けられ、前記集束レンズと前記センサーの間には所定の距離が形成されることを特徴とする、請求項１に記載の方向判別センサー。
【請求項３】
前記センサーは、受動式赤外線センサーであることを特徴とする、請求項２に記載の方向判別センサー。
【請求項４】
前記分離板は、遠赤外線を通さない材質からなることを特徴とする、請求項３に記載の方向判別センサー。
【請求項５】
少なくとも一つのセンサーと、少なくとも一つの分離板とによって構成する方向判別センサーであって、
前記センサーの内部には、少なくとも一つの正極感知ユニットと、少なくとも一つの負極感知ユニットが設けられ、前記正極感知ユニットは、正極感知信号を発生し、前記負極感知ユニットは負極感知信号を発生し、
前記分離板は、前記正極感知ユニットと前記負極感知ユニットを分離して前記正極感知信号と前記負極感知信号に時間差を生じさせて方向を判別するために、前記センサーの外に設けられることを特徴とする、方向判別センサー。
【請求項６】
前記方向判別センサーは集束レンズを備え、前記集束レンズは前記センサーの外周に設けられ、前記集束レンズと前記センサーの間は、所定の距離を形成することを特徴とする、請求項５に記載の方向判別センサー。
【請求項７】
前記センサーは、受動式赤外線センサーであることを特徴とする、請求項６に記載の方向判別センサー。
【請求項８】
前記分離板は、遠赤外線を通さない材質からなることを特徴とする、請求項７記載の方向判別センサー。
【考案の詳細な説明】
【技術分野】
【０００１】
本考案は方向判別センサーに関し、特にセンサーの正極感知ユニットと負極感知ユニットの間に分離板を設けた方向判別センサーに関する。
【背景技術】
【０００２】
現代人は、衣食住、行動、教育、娯楽など各種の需要を満足させるために、様々な公共の場所に出入りしている。それにより、公共の場所は、人が多くなりすぎて通行がしにくくなることがあり、また、室内の公共施設の場合、人が多すぎて空気の循環が悪くなり、体の調子が悪くなってしまうことがある。
【０００３】
上述の問題を避けるために、業者によっては、出入り口の場所にセンサーを取り付けている。センサーによって客の出入りの状態を感知することにより、客の数が合理的な範囲内であるか把握し、室内に人が多すぎて各種問題が生じないようにしている。
【０００４】
人を把握するための従来の技術では、多くが、映像センサー、或いは、赤外線センサーによって感知を行っている。映像センサーは、映像によって感知を行うが、人によっては映像センサーで監視されているのを不快に感じる人もいる。また、赤外線センサーによって感知を行う場合は、公共スペースの出入口に、それぞれ、赤外線センサーをとりつけ、片方の赤外線センサーが人の活動を感知した場合は、人が進入したことを示し、もう一方の赤外線センサーが人の活動を感知した場合は、人が退出したことを示す。以上の方法により、人の出入りを把握する。
【考案の概要】
【考案が解決しようとする課題】
【０００５】
本考案は、一つのセンサーを用いるだけで人の出入りを感知することができる方向判別センサーを提供することを目的とする。
【課題を解決するための手段】
【０００６】
本考案による方向判別センサーは、少なくとも一つのセンサーと、少なくとも一つの分離板とによって構成する。前記センサーの内部には、少なくとも一つの正極感知ユニットと、少なくとも一つの負極感知ユニットが設けられ、前記正極感知ユニットは、正極感知信号を発生し、前記負極感知ユニットは負極感知信号を発生する。前記分離板は、前記正極感知ユニットと前記負極感知ユニットを分離して前記正極感知信号と前記負極感知信号に時間差を生じさせて方向を判別するために、前記センサーの正極感知ユニットと負極感知ユニットの間に設けられる。
【０００７】
本考案の好ましい実施例においては、さらに、集束レンズを設ける。集束レンズは、前記センサーの外周に設けられ、前記集束レンズと前記センサーの間は所定の距離を形成する。
【０００８】
本考案が採用する技術を用いると、本考案の正極感知ユニットと負極感知ユニットの間に分離板を設け、正極感知ユニットと負極感知ユニットを分離するため、正負感知ユニットから生じる正負感知信号が重なることによるセンサーの誤判断を避けることができる。人が正極感知信号の範囲から負極感知信号の範囲に入る、或いは、負極感知信号の範囲から正極感知信号の範囲に入ることで、本考案は、人の出と入りを判別する。
【考案の効果】
【０００９】
本考案は、一つのセンサーを用いるだけで人の出入りを感知することができ、センサーを取り付けるコストを下げることができるとともに、分離板によって二つの感知信号が重なるのを防ぐことができる。それにより、本考案は、センサーの感知の正確性を高めることができる。具体的に言うと、センサーの感知効果を、従来の８０％から９０％に高めることができる。また、本考案は、センサーの外周に集束レンズを設けることで、センサーの感知範囲を増加させる。
【図面の簡単な説明】
【００１０】
【図１】本考案の構造を示した説明図である。
【図２】本考案の実施例１を示した説明図である。
【図３】センサーの感知信号の波形図である。
【図４】本考案の実施例２を示した説明図である。
【図５】本考案の実施例３を示した説明図である。
【図６】本考案の実施例４を示した説明図である。
【図７】本考案の実施例５を示した説明図である。
【考案を実施するための形態】
【００１１】
図１を参照する。図１は、本考案の構造を示した説明図である。図に示すように、本考案の方向判別センサー１００は、センサー１と、分離板２とによって構成する。センサー１は、受動式赤外線センサーであり、その内部には正極感知ユニット１１と負極感知ユニット１２が設けられ、正極感知ユニット１１は正極感知信号Ｓ１を発生させ、負極感知ユニット１２は負極感知信号Ｓ２を発生させる。センサー１は、正極感知信号Ｓ１と負極感知信号Ｓ２によって人の状態を感知する。受動式赤外線センサーの構造と作用原理は従来の技術であり、本考案のポイントではないため、ここでは記載を省略する。
【００１２】
分離板２は、正極感知ユニット１１と負極感知ユニット１２の間に設けられるとともに、センサー１内部からセンサー１の外まで延伸する。分離板２は、遠赤外線を通さない材質からなり、正極感知信号Ｓ１と負極感知信号Ｓ２を分離することで、正極感知信号Ｓ１と負極感知信号Ｓ２が重なるのを防ぐ。
【００１３】
（実施例１）
図２と図３を同時に参照する。図２は、本考案の実施例１を示した説明図であり、図３は、センサーの感知信号の波形図である。図に示すように、センサー１を所定の位置に設けることで、人の移動状態を感知する。本考案を実施する際、センサー１を所定の位置に設けると、センサー１は、正極感知ユニット１１から生じる正極感知信号Ｓ１と、負極感知ユニット１２から生じる負極感知信号Ｓ２によって、人３の移動を感知し、分離板２は、正極感知信号Ｓ１と負極感知信号Ｓ２を分離させる。
【００１４】
人３が、正極感知ユニット１１から生じる正極感知信号Ｓ１の感知範囲に進入した時、正極感知ユニット１１は人３を感知して波形が生じ、人３の移動に応じて強度が異なる正極感知信号Ｓ１の感知範囲に進入する。即ち、正極感知信号Ｓ１から生じる波形も人の移動によって変化する。
【００１５】
人３が、正極感知信号Ｓ１の感知範囲から負極感知信号Ｓ２の感知範囲に進入した時、負極感知ユニット１２から生じる波形は、負極感知信号Ｓ２の強度の違い及び人３の移動に応じて変化する。そして、人３がセンサー１の感知範囲から離れた時、波形はゼロの状態に戻る。
【００１６】
（実施例２）
図４を参照する。図４は、本考案の実施例２を示した説明図である。図に示すように、本実施例の方向判別センサー２００の構成部材は、実施例１とほぼ同じであり、同じ部材の符合は、実施例１に対応する。実施例２が異なる箇所は、本実施例の方向判別センサー２００は、さらに、集束レンズ４を備える、という点である。集束レンズ４は、センサー１の外周に設けられ、集束レンズ４とセンサー１の間は、所定の距離を形成し、それにより、センサー１の感知範囲を増加させる。本実施例の作用原理と方法は、実施例１と同じであるため、ここでは記載を省略する。
【００１７】
（実施例３）
図５を参照する。図５は、本考案の実施例３を示した説明図である。図に示すように、本実施例の方向判別センサー３００の構成部材は、実施例１とほぼ同じであるため、同じ部材の符合は、実施例１に対応する。実施例３が異なる箇所は、本実施例の方向判別センサー３００は、二つのセンサー１ａ、１ｂを備えており、感知範囲が拡大される、という点である。本実施例の作用原理と方法は、実施例１と同じであるため、ここでは記載を省略する。
【００１８】
（実施例４）
図６を参照する。図６は、本考案の実施例４を示した説明図である。図に示すように、本実施例の構成部材は実施例３とほぼ同じであり、同じ部材の符合は、実施例３に対応する。実施例４が異なる箇所は、本実施例の方向判別センサー３００は、二つのセンサー１ａ、１ｂの外周に、さらに、集束レンズ４を設け、センサー１ａ、１ｂの感知範囲を拡大させた、という点である。本実施例の作用原理と方法は、実施例１と同じであるため、ここでは記載を省略する。
【００１９】
（実施例５）
図７を参照する。図７は、本考案の実施例５を示した説明図である。本考案を実施する際、センサー１を所定の位置に設けると、センサー１は、正極感知ユニット１１から生じる正極感知信号Ｓ１と、負極感知ユニット１２から生じる負極感知信号Ｓ２によって、人３の移動を感知する。分離板２１は前記センサーの外に設けられ、正極感知信号Ｓ１と負極感知信号Ｓ２を分離する。人３が、正極感知信号Ｓ１の感知範囲から負極感知信号Ｓ２の感知範囲に進入した際、負極感知ユニット１２から生じる波形は、負極感知信号Ｓ２の強度の違い及び人３の移動によって変化し、方向を判別できる。人３がセンサー１の感知範囲を離れた時、波形はゼロの状態に戻る。
【符号の説明】
【００２０】
１００、２００、３００、４００    方向判別センサー
１、１ａ、１ｂ    センサー
１１              正極感知ユニット
１２              負極感知ユニット
２、２１          分離板
３                人
４                集束レンズ
Ｓ１              正極感知信号
Ｓ２              負極感知信号
【図１】
0003169811.tif 000003
【図２】
0003169811.tif 000004
【図３】
0003169811.tif 000005
【図４】
0003169811.tif 000006
【図５】
0003169811.tif 000007
【図６】
0003169811.tif 000008
【図７】
0003169811.tif 000009